(57)【要約】【課題】  ユーザは手軽かつ安全に、詳細な検索結果の配信を受け取ることができる情報提供方法を提供する。【解決手段】  情報処理端末において、放送された放送情報の断片と、その断片に関して何の情報が必要かを意図する指示情報を入力とし、それらを組とし、情報を検索のために、情報配信サーバに送信する。情報配信サーバでは、情報処理端末により送信された放送情報の断片を用いて検索を実行し、そして、指示情報を用いることにより検索結果の絞込みを行ない、その結果を情報処理端末に送信することを特徴とする。【選択図】  図１
2005148781.tif 000002
【特許請求の範囲】
【請求項１】
情報処理端末に接続される通信部と、
複数のコンテンツとその属性情報とを対応づけて記録する記録部と、
制御部を有し、
上記通信部は、検索対象のコンテンツの検索に用いる情報と、上記情報処理端末のユーザが入力した該断片に関して何の情報が必要かを意図する指示キーを受け取り、
上記制御部は、
上記指示情報の意図解釈して意図キーを作成し、
上記コンテンツから上記放送情報を検索し、上記意図キーを用いて該検索されたコンテンツの上記属性情報から選択された出力結果を上記通信部を介して上記情報処理端末に送出することを特徴とする情報配信サーバ。
【請求項２】
上記検索対象のコンテンツの検索に用いる情報は上記情報処理端末に放送された放送情報の断片であることを特徴とする請求項１記載の情報配信サーバ。
【請求項３】
上記検索対象のコンテンツの検索に用いる情報は上記情報処理端末で再生されたオーディオ情報の断片であることを特徴とする請求項１記載の情報配信サーバ。
【請求項４】
上記通信部は、上記コンテンツの検索に用いる情報と上記指示キーを１の検索情報として受け取り、
上記制御部は、上記意図キーを作成する前に、上記断片と上記指示情報とを分離することを特徴とする請求項１乃至３の何れかに記載の情報配信サーバ。
【請求項５】
さらに、上記記録部は、上記記録される属性情報の項目と上記指示キーとの対応を連想データベースとして記録し、
上記制御部は、該連想データベースを用いて意図キーと作成することを特徴とする請求項１乃至４の何れかに記載の情報配信サーバ。
【請求項６】
放送を受信する受信部と、
指示入力を受けつける入力部と、
上記受信した放送情報を記憶する記憶部と、
請求項２に記載される情報配信サーバに接続される通信部と、
上記情報配信サーバから配信される検索結果を表示する出力部と、
制御部を有し、
上記制御部は、
ユーザの指示に応じて上記受信した放送情報の一部を抽出し、
上記指示入力部を介して、上記記録抽出された放送情報についての検索項目内容を指示する指示キーを受付け、
該抽出された放送情報と上記指示キーを上記外部サーバに送出し、
上記放送情報を検索キーとして上記指示情報に従った処理結果を受け取ることを特徴とする情報処理端末。
【請求項７】
指示入力を受けつける入力部と、
オーディオ機器で再生された情報を記憶する記憶部と、
請求項３に記載される情報配信サーバに接続される通信部と、
上記情報配信サーバから配信される検索結果を表示する出力部と、
制御部を有し、
上記制御部は、
ユーザの指示に応じて上記再生したオーディオ情報の一部を抽出し、
上記指示入力部を介して、上記記録抽出されたオーディオ情報についての検索項目内容を指示する指示キーを受付け、
該抽出されたオーディオ情報と上記指示キーを上記外部サーバに送出し、
上記オーディオ情報を検索キーとして上記指示キーに従った処理結果を受け取ることを特徴とする情報処理端末。
【発明の詳細な説明】
【技術分野】
【０００１】
本発明は、検索依頼に基づく情報の検索を行ない、検索された結果を配信する情報提供方法、情報配信サーバおよび情報処理端末、情報提供サービスに関する。
【背景技術】
【０００２】
インターネットを利用した情報検索が急速に普及している。例えば、ユーザは、インターネット接続機能を有する携帯情報処理端末やパーソナルコンピュータなど各種の情報処理端末を用いて検索サイトに接続し、検索キーを手がかりにして所望の情報を検索することが可能である。
検索キーとして、作成したメロディ・ピッチデータ等の音楽データを検索キーとする技術（例えば特許文献１、参照）。又、検索キーとして、歌声を検索キーとする技術（例えば特許文献２、参照）。録音した音の断片を用いているものがある（例えば特許文献３、参照）。
【０００３】
【特許文献１】特開2001-356779号公報
【０００４】
【特許文献２】特開2002-258874号公報
【特許文献３】特開2002-116768号公報
【発明の開示】
【発明が解決しようとする課題】
【０００５】
従来のインターネットを利用した情報検索サービスにおいて、入力した検索キーに対して多くの結果を出力されるが、ユーザは多くの結果の中から自分が所望する結果を探さなければならないことが一般的であった。
しかしながら、ユーザとしては多くの検索結果から所望のものを探し出すことは大変である。例えば、今後普及するであろう、車に搭載された情報処理端末等を用いた情報提供サービスを受けようとしても、運転者を含むユーザは、安全性の問題から運転中に種々の操作を行なうことが困難である。そこで、本発明は、手軽かつ安全に詳細な検索結果の配信を受け取ることを目的としている。
【課題を解決するための手段】
【０００６】
上記課題を解決するために、本願の開示する代表的な発明の概要は以下の通りである。本願発明の情報配信サーバは、情報処理端末に接続される通信部と、複数のコンテンツとその属性情報とを対応づけて記録する記録部と、制御部を有する。通信部は、コンテンツの検索キーと、ユーザが入力した該断片に関して何の情報が必要かを意図する指示情報を受け取って、制御部が指示情報の意図解釈を行なって意図キーを作成する。さらに検索キーを用いてコンテンツから放送情報を検索し、意図キーを用いて該検索されたコンテンツの属性情報から選択された出力結果を通信部を介して情報処理端末に送出する。
更に、本願では上記情報処理端末についても開示する。
【発明の効果】
【０００７】
放送情報の断片と該断片に関する指示情報をあわせて情報配信サーバに送ることにより、情報配信サーバ内で指示情報を用いた検索結果の選別処理を行なうことにより、情報処理端末に嗜好性の高い結果のみを配信することができるので、ユーザは、手軽かつ安全に、詳細な検索結果の配信を受け取ることが可能となる。
【発明を実施するための最良の形態】
【０００８】
以下、本発明の実施形態を、図面を参照しながら説明する。図１は、本発明の情報検索方法を実現システムを説明するための概略図である。１０はインターネット等のネットワーク、２０はネットワーク１０に接続された情報配信サーバ、３０は放送局又は放送局端末、４０は車に設置された情報処理端末、５０は情報処理端末４０と接続された外部端末
である。
【０００９】
情報配信サーバ２０は、各種通信機能及びデータ処理機能等を有する制御部２１、インターネット１０を介して情報処理端末４０との通信を行なう通信部２２、ハードディスクやメモリ等から構成され、各種データの記憶が可能な記録部２３を有している。また、記録部２３には、情報配信サーバ２０における各種処理を実行するためのメインプログラム、検索に用いる情報データベース２４、キーの関連付けを行なうために用いる連想データベース２５などが記憶されている。記録されるメインプログラムは、制御部２１よって読み出され、各種処理が実行される。
【００１０】
情報処理端末
４０は、各種通信機能及びデータ処理機能等を有する制御部４１、運転手を含むユーザの音声を入力するためのマイク、キーボード、マウス、タッチパネル、リモコン又は外部機器との接続端子（ライン入力等のオーディオ端子）等各種データの外部からの入力が可能な入力部４２、液晶ディスプレイ及びスピーカ等から構成され各種データの表示及び音声出力が可能な出力部４３、光ディスク、光磁気ディスク、テープ、ハードディクス又はメモリ等各種データの記憶が可能な記録部４４、放送局からのＴＶ又はラジオ信号を受信するための受信部４５、インターネットとの接続するための通信部４６を有している。また、記録部４４には、情報処理端末４０における各種処理を実行するためのメインプログラムなどが記録され、メインプログラムは制御部４１で読み込まれて、各種の処理が実行されている。
本発明では、情報検索する際に、情報処理端末４０で放送情報の断片と該断片に関して所望する指示情報をセットにして情報配信サーバ２０に送信し、情報配信サーバ２０でこれらの情報を基にユーザの嗜好に合った情報検索を実行し、その結果をユーザに配信することにより、ユーザは手軽かつ安全に詳細な検索結果の配信を受け取る。
【実施例１】
【００１１】
図１に示すシステム構成を利用した第１の実施形態について図２を用いて以下に説明する。図２は、放送情報から希望する情報を検索し、検索結果を取得するまでの手順を示したフロー図である。図２の手順は、情報処理端末
４０の記録部４４に記憶されたメインプログラムにしたがって制御部４１が実行し、また、情報配信サーバ２０も同様に、情報配信サーバ２０の記憶部２３に記憶されたメインプログラムにしたがって制御部２１が実行する。
【００１２】
情報処理端末
４０が、受信部４５を介して、ＴＶ放送又はラジオ放送を受信しているものとする。ユーザは、ＴＶ放送又はラジオ放送を視聴している時に、入力部４２のマイクを用いた音声入力操作によって、情報の検索を開始する（ステップ２０２）。音声入力操作部には、種々の公知の技術を使用することが可能であって、該技術を実行するためのプログラムが記録部４４に予め記憶されているものとする。例えば、ユーザが「アーティスト名？」と声を発すと、該音声の入力の認識結果がトリガとなり検索処理が開始される。この認識結果を記録部４４に保存する。本願において、ユーザは対象となるコンテンツに関して何の情報が必要かを意図するコマンドをステップ２０２において入力する（以下「指示キー」と言う）。また、後で指示キーを管理しやすくするために、例えば、任意の数字や時間などの番号を付けて保存しておくことが好ましい。なお、トリガとなる音声コマンドは、自由に設定できるものとする。また、音声入力操作の代わりに、入力部４２のキーボードにおけるキーの押下、マウスにおけるボタンの押下、タッチパネルにおける接触の有無、リモコンにおけるボタンの押下等を用いて操作することも可能である。
【００１３】
また、制御部４１は、検索開始のために音声入力がされた時点、又は、ボタン等の他の入力手段を開始の指示が入力された時点で、ユーザが現在受信している放送情報の一部を切り取る（以下「コンテンツキー」と言う）（ステップ２０３）。例えば、ラジオから楽曲が流れている場合には、コンテンツキーは楽曲の断片となる。また、後でコンテンツキーを管理しやすくするために、例えば、任意の数字や時間などの番号を付けて保存しておくことが好ましい。なお、ユーザが発話する直前のデータの一部や放送の一部もコンテンツキーとするために、予め、受信したデータの一部と放送の一部をある一定時間記録部４４に保存し、情報の検索を開始した時に、以前のデータや放送情報も取得できるようにすることが好ましい。例えば、常にラジオから放送された放送内容を放送した時点から３０秒間、記録部４４に保存しておくことで、コマンドが入力された時刻から３０秒前に放送されたデータがコンテンツキーをして利用できることになる。
【００１４】
次に、情報処理端末
４０は、指示キーとコンテンツキーを互いに対応づけた組として記録部４４に記録する（以下「検索キー」と言う）（ステップ２０４）。また、後で検索キーを管理しやすくするために、例えば、任意の数字や時間などの番号を付けて保存しておくことが好ましい。検索キーの記録に用いるフォーマットは、後で指示キーとコンテンツキーとして分離又は参照できるように、例えば、図３で示すような、検索キーのフォーマットが好ましい。図３は、検索キーのフォーマットの１例であり、３０１がコンテンツキー、３０２が指示キーである。このようなフォーマットを用いることで、検索キーは、コンテンツキーと検索キーの２つのキーを関連付けておくことが可能となり、組として扱うことができる。コンテンツキーに関する内容を指示キーとしているため、サーバ側で検索するにあたって、これらキーを関連付けておく必要があるためである。
【００１５】
次に、情報処理端末
４０は、生成された検索キーを通信部４６、及びインターネット１０を介して情報配信サーバ
２０へ送信する（ステップ２０５）。情報配信サーバ
２０は、情報処理端末４０からのアクセスを受け、データを受信する（ステップ２０６）。
【００１６】
次に、情報配信サーバ
２０は、受信した検索キーからコンテンツキーと指示キーとに分離又は抽出し、それぞれを記録部２３に記録する（ステップ２０７）。また、分離又は抽出する際に、これら２つのキーが組みあったことを示すために、例えば、図４で示すような、検索キーの組データを情報部２３に記録することが好ましい。図４は、検索キーの組データの１例であり、それぞれのキーを情報処理端末
４０で保存した際に用いた番号で記述しており、４０１が検索キー、４０２コンテンツキー、４０３が指示キーである。  次に分離されたコンテンツキーに基づいて、情報データベース２４が検索される（ステップ２０８）。検索手法としては、種々の手法を使用することが可能であって、例えば、コンテンツキーと全部一致するデータのみを検索するものでも、又は、一部が一致するデータを検索するものでもあっても良い。例えば、コンテンツキーが楽曲データだった場合には、情報データベース２４の楽曲データとのマッチングなどがあげられる。また、コンテンツキーが音声データの場合には、予め音声認識を行ない、文字化した後、情報データベース２４の記事キーワードとのマッチングなどがあげられる。さらに、コンテンツデータが楽曲データであるか音声データであるかを分類が必要な場合には、分析手法は、種々の手法を使用することが可能であって、例えば、コンテンツデータの基本周波数を分析することにより、これらを判定するものでもあっても良い。
情報データベース２４は、検索対象となるコンテンツのデータが各データの項目と対応づけられて記録されているデータベースである。図７は情報データベース２４の１例であり、楽曲情報データベースである。７０１は曲ＩＤ、７０２は曲名、７０３はアーティスト名、７０４はアルバム名、７０５はリリース日、７０６は歌詞、７０７は曲のデータなどが記録されている。また、図８に情報データベース２４の１例であり、記事情報データベースである。８０１は記事ＩＤ、８０２は記事名、８０３は記事内容、８０４は記事キーワードなどである。なお、これら情報データベース２４に記憶されるデータ項目は、これらに限定されることなく、必要に応じて、削除及び追加することができるものとする。
【００１７】
次に制御部２１は、指示キーに基づいて、連想データベース２５を検索して結果を記録部２３に記録する（以下、記録される結果を「意図キー」と言う）（ステップ２０９）。連想データベース２５は、指示キーと情報データベース２４のデータ項目を対応付けるためのデータベースである。図９に連想データベース２５の一例と示す。９０１は指示キー、９０２はデータ項目である。例えば、指示キーが「歌っている人は誰？」であった場合には、はじめに連想データベース２５の指示キー９０１の行の中から「歌っている人は誰？」を選択、この列のデータ項目である「アーティスト名」を出力とする。なお、連想データベース２５に記憶される項目は、これらに限定されることなく、必要に応じて、追加することができるものとする。
ステップ２０８の検索された結果に関連付けられた属性情報の中から、ステップ２０９で抽出されたデータ項目名に該当する情報が選択される（ステップ２１０）。例えば、ステップ２０９で「アーティスト名」と選択させた場合、検索された曲のアーティスト名として記録されている情報が選択される。
【００１８】
次に、情報処理端末
４０にステップ２１０で選択された情報が送信される（ステップ２１１）。情報処理端末４０は情報配信サーバ
２０からのアクセスを受け、データを受信する（ステップ２１２）。ステップ２１２で受け取った情報は、情報処理端末
４０の出力部４３に表示し、記憶部４４に記憶される（ステップ２１３）。なお、データが文字データの場合には、出力部４３の液晶ディスプレイに表示されるだけでなく、情報処理端末
４０に搭載された音声合成手法により、読み上げを行ない、スピーカから出力することができる。音声合成手法としては、公知の手法を使用することが可能である。
【００１９】
以上説明したように、検索対象の情報に加えて、入手したい情報の種類を特定する指示キーを入力することで、ユーザと情報配信サーバとのやり取りを減少し、かつ、詳細な情報を配信できる。ユーザは手軽かつ安全に、欲しい情報を検索結果として受け取ることができる。
【実施例２】
【００２０】
図1に示すシステム構成を利用した第２の実施形態について説明する。
本実施例では放送局からのデータではなく、例えば、情報処理端末
４０に装備されているオーディオ機器、又は、車に装備されているオーディオ機器などの外部機器で再生したデータをコンテンツキーとして用いる点が異なる。外部機器を用いた場合には、情報処理端末
４０と外部機器は、入力部４２の外部機器との接続端子で接続されている。そして、外部機器から出力されたデータが、情報処理端末
４０に送られる。この実施例の情報処理端末のフローでは、図２のステップ２０２において、ユーザは、情報処理端末
４０が、通常、オーティオ機器として機能している場合に入力部４２のマイクを用いた音声入力操作によって、情報の検索を開始する。
【００２１】
これにより、本実施例においては、放送局から配信されるデータをコンテンツキーとした第１の実施形態とは異なり、コンテンツキーをオーディオ機器で再生したデータとする。これにより、例えば、オーディオ機器で再生している音楽情報の詳細な情報をユーザに配信できる。
【実施例３】
【００２２】
図1に示すシステム構成を利用した第３の実施形態について図５を用いて以下に説明する。図５は、第１の実施形態の変形例であって、予め指示を入力しておいて検索自体はオフタイムでできる点が異なる。第３の実施形態では、図５のステップ５０５に示す検索スタート
以降の処理は、第１の実施例のステップ２０５に記載したものと同じであるので、それ以前の手順について図４に示す。図５の手順は、情報処理端末
４０の記録部４４に記憶されたメインプログラムにしたがって制御部４１が実行し、また、情報配信サーバ２０も同様に、情報配信サーバ２０の記憶部２３に記憶されたメインプログラムにしたがって制御部２１が実行する。
【００２３】
情報処理端末
４０が、受信部４５を介して、ＴＶ放送又はラジオ放送を受信しているものとする。ユーザは、ＴＶ放送又はラジオ放送を視聴している時に、入力部４２のマイクを用いた音声入力操作によって、例えば、「アーティスト名？後で。」と声を発す。これにより該音声の入力の認識により検索処理が開始され、認識結果を記録部４４に保存する。（以下「指示キー」と言う）。なお、トリガとなる音声コマンド設定等等については実施例１に記載の構成を採用することができることは言うまでもない。また、オフラインで検索を行なうかの判断は、例えば、「後で」などのキーワードであり、このキーワードが発話に含まれている場合には、オフライン処理とする。オフラインとなるキーワードは、予め決められており、これをオフラインキーワードといい、図６にオフラインキーワードの一例を示す。オフラインキーワードは、記録部４４に格納されており、その中身は、６０１に示すような文字がキーワードとして記述されている。オフラインキーワードに記述されているキーワードは、これらに限定されることなく、必要に応じて、削除及び追加することができるものとする。
次のステップ５０３，５０４については、ステップ２０３，２０４と同じであるので説明を省略する。
【００２４】
次に、ユーザからの入力部４２を用いた入力操作によって、先ほど記録部４４に保存した検索キーを用いた情報の検索を開始する。（ステップ５０５）。音声入力操作部には、種々の公知の技術を使用することが可能であって、該技術を実行するためのプログラムが記録部４４に予め記憶されているものとする。例えば、ユーザが「さっきの検索！」と声を発すと、該音声の入力の認識により検索処理が開始される。もし、記録部４４に記憶されているクリップされた情報が複数あるならば、発話に数字を含めることが好ましい。なお、トリガとなる音声コマンドは、自由に設定できるものとする。また、音声入力操作の代わりに、入力部４２のキーボードにおけるキーの押下、マウスにおけるボタンの押下、タッチパネルにおける接触の有無、リモコンにおけるボタンの押下等を用いて操作することも可能である。
【００２５】
以上説明したように、第３の実施形態は、リアルタイムに検索をした第１の実施形態とは異なり、オフタイムで検索を行なえる。これにより、リアルタイムで検索できなかった場合でも、後で検索することにより、詳細な情報をユーザに配信できる。この結果、ユーザは運転に集中することができ、より安全な走行を確保できる。
【００２６】
本特許は放送情報の断片をコンテンツキーとしている。コンテンツキーは音や音楽だけではなく、例えば、画像やデータなどがあげられる。また、指示キーはユーザがコンテンツキーに関して何を検索して欲しいかを指示するためのキーであるので、音声だけでなく、例えば、タッチパネルの押下などがあげられる。例えば、画像をコンテンツキーとし、ディスプレイに表示されている物や人物などの絵を押下することにより、物検索や人物検索を行なうことが可能である。
【図面の簡単な説明】
【００２７】
【図１】本発明の情報提供方法を実施するためのシステムの概要を示す図である。
【図２】本発明の第１の実施形態に係わる情報提供方法における手順を示すフロー図である。
【図３】検索キーのフォーマットの一例を示す図である。
【図４】検索キーの組データの一例を示す図である。
【図５】本発明の第３の実施形態に係わる情報提供方法における手順を示すフロー図である。
【図６】オフラインキーワードの一例を示す図である。
【図７】情報データベースの一例を示す図である。
【図８】情報データベースの一例を示す図である。
【図９】連想データベースの一例を示す図である。
【符号の説明】
【００２８】
１０  ネットワーク
２０  情報配信サーバ
３０  放送局、又は、放送局端末
４０  情報処理端末
５０  外部機器。
【図１】
2005148781.tif 000003
【図２】
2005148781.tif 000004
【図３】
2005148781.tif 000005
【図４】
2005148781.tif 000006
【図５】
2005148781.tif 000007
【図６】
2005148781.tif 000008
【図７】
2005148781.tif 000009
【図８】
2005148781.tif 000010
【図９】
2005148781.tif 000011